(57)【要約】      （修正有）【課題】アンカーボルトを簡単な施工で正確に設置することができる後施工アンカー設置方法及び基礎構造を提供する。【解決手段】アンカーボルト３を既存のコンクリート基礎１に設置する後施工アンカー設置方法であって、コンクリート基礎１の上面１ａに、アンカーボルト３を主筋の両側位置に挿入させるための複数の竪穴１ｃを穿孔する段階と、コンクリート基礎１の最上部の主筋より下になる位置で、コンクリート基礎１の側面１ｂに、竪穴１ｃに挿入した複数のアンカーボルト３の下部３ａを連結固定するための板状部材４を挿入する横穴１ｄを穿孔する段階と、複数の竪穴１ｃに複数のアンカーボルト３を挿入する段階と、横穴１ｄに板状部材４を挿入し、竪穴１ｃに挿入した複数のアンカーボルト３の下部３ａを板状部材４で連結固定する段階と竪穴１ｃとアンカーボルト３との隙間と、横穴１ｄと板状部材４との隙間と、に充填剤を充填する段階とを有する。【選択図】図１
2008303677.tif 000002
【特許請求の範囲】
【請求項１】
アンカーボルトを既存のコンクリート基礎に設置する後施工アンカー設置方法であって、
前記コンクリート基礎の上面に、前記アンカーボルトをコンクリート基礎に埋め込まれた主筋の両側位置に挿入させるための複数の竪穴を穿孔する段階と、
前記コンクリート基礎の最上部の主筋より下になる位置で、前記コンクリート基礎の側面に、前記竪穴に挿入した複数のアンカーボルトの下部を連結固定するための板状部材を挿入する横穴を穿孔する段階と、
前記複数の竪穴に前記複数のアンカーボルトを挿入する段階と、
前記横穴に前記板状部材を挿入し、前記竪穴に挿入した前記複数のアンカーボルトの下部を前記板状部材で連結固定する段階と、
前記竪穴と前記アンカーボルトとの隙間と、前記横穴と前記アンカーボルトの下部に連結固定された前記板状部材との隙間と、に充填剤を充填する段階と、
を有することを特徴とする後施工アンカー設置方法。
【請求項２】
前記充填剤を充填する前に、前記充填剤の溢出を防止する充填剤溢出防止蓋で前記横穴を塞ぐ段階を有することを特徴とする請求項１に記載の後施工アンカー設置方法。
【請求項３】
請求項１又は２により設置された前記アンカーボルトと、
前記アンカーボルトが設置された前記既存のコンクリート基礎と、を有することを特徴とする基礎構造。
【請求項４】
上面かつコンクリート基礎に埋め込まれた主筋の両側位置に複数の竪穴を穿孔し、側面かつ最上部の主筋より下になる位置に横穴を穿孔したコンクリート基礎と、
前記コンクリート基礎の複数の竪穴に挿入した複数のアンカーボルトと、
前記コンクリート基礎の前記横穴から挿入して前記複数のアンカーボルトの下部を連結固定した板状部材と、
前記竪穴と前記アンカーボルトとの隙間と、前記横穴と前記アンカーボルトの下部に連結固定された前記板状部材との隙間とに、充填された充填剤と、
を有することを特徴とする基礎構造。
【発明の詳細な説明】
【技術分野】
【０００１】
建物の改築に際し、新たな上部構造（土台、柱や壁、筋交いなど）を既存のコンクリート基礎に止めつけるため、アンカーボルトを既存のコンクリート基礎に設置する後施工アンカー設置方法と、後施工アンカーを設置した基礎構造と、に関するものである。
【背景技術】
【０００２】
建物の改築に際し、新たな上部構造（土台、柱や壁、筋交いなど）を既存のコンクリート基礎に止めつけるための、従来のアンカーボルトと同等の引き抜き耐力を確保しえる後施工アンカーボルトがある。
【０００３】
アンカーボルトを後施工する方法として、例えば、既存基礎に沿い新たに打設したコンクリートにアンカーボルトを埋め込む方法（特許文献２）が提案されている。また、既存のコンクリート基礎に天端面から下端面まで形成された竪穴に、アンカーボルトを挿通する、もしくは天端面から途中位置まで形成された縦穴に挿入する方法（特許文献２）が提案されている。
【０００４】
【特許文献１】特開２００２−３５７００５号公報
【特許文献２】特開２００５−２９９１２９号公報
【発明の開示】
【発明が解決しようとする課題】
【０００５】
しかしながら、上記特許文献１の方法では、当然新たなコンクリート基礎を打設しなければならず、コンクリート基礎中には配筋をもする必要が有り、大掛かりな工事が必要となりコストがかかる。また当然、基礎を打設する場所の土を掘削しておく必要もある。また、既存の基礎に沿って新たな基礎を作るため、新たなアンカーボルトは既存の基礎上からずれて配置される。そのため、上部構造（柱、土台や壁、筋交い等）の設置のために余分な部品が必要で、施工工数的にもコスト的にも負担が大きい。
【０００６】
また、上記特許文献２の方法では、竪穴が長いため精度良く形成するのに大変高度な技術が必要である。
【０００７】
そこで本発明は、既存コンクリート基礎および周辺部材、地盤等に対する各種工事をできるだけせずに、既存コンクリート基礎の上面にアンカーボルトを簡単な施工で正確に設置することができる後施工アンカー設置方法及び基礎構造を提供することを目的とする。
【課題を解決するための手段】
【０００８】
上記課題を解決するために本発明に係る後施工アンカー設置方法の第一の構成は、アンカーボルトを既存のコンクリート基礎に設置する後施工アンカー設置方法であって、前記コンクリート基礎の上面に、前記アンカーボルトをコンクリート基礎に埋め込まれた主筋の両側位置に挿入させるための複数の竪穴を穿孔する段階と、前記コンクリート基礎の最上部の主筋より下になる位置で、前記コンクリート基礎の側面に、前記竪穴に挿入した複数のアンカーボルトの下部を連結固定するための板状部材を挿入する横穴を穿孔する段階と、前記複数の竪穴に前記複数のアンカーボルトを挿入する段階と、前記横穴に前記板状部材を挿入し、前記竪穴に挿入した前記複数のアンカーボルトの下部を前記板状部材で連結固定する段階と、前記竪穴と前記アンカーボルトとの隙間と、前記横穴と前記アンカーボルトの下部に連結固定された前記板状部材との隙間と、に充填剤を充填する段階と、を有することを特徴とする。
【０００９】
後施工アンカー設置方法の第二の構成は、第一の構成において、前記充填剤を充填する前に、前記充填剤の溢出を防止する充填剤溢出防止蓋で前記横穴を塞ぐ段階を有することを特徴とする。
【００１０】
基礎構造の第一の構成は、第一又は第二の構成の後施工アンカー設置方法により設置された前記アンカーボルトと、
前記アンカーボルトが設置された前記既存のコンクリート基礎と、を有することを特徴とする
【００１１】
基礎構造の第二の構成は、上面かつコンクリート基礎に埋め込まれた主筋の両側位置に複数の竪穴を穿孔し、側面かつ最上部の主筋より下になる位置に横穴を穿孔したコンクリート基礎と、前記コンクリート基礎の複数の竪穴に挿入した複数のアンカーボルトと、前記コンクリート基礎の前記横穴から挿入して前記複数のアンカーボルトの下部を連結固定した板状部材と、前記竪穴と前記アンカーボルトとの隙間と、前記横穴と前記アンカーボルトの下部に連結固定された前記板状部材との隙間とに、充填された充填剤と、を有することを特徴とする。
【発明の効果】
【００１２】
本発明によれば、既存コンクリート基礎および周辺部材、地盤等に対する各種工事をできるだけせずに、既存コンクリート基礎の上面にアンカーボルトを簡単な施工で正確に設置することができる。また、既存アンカーボルトと同程度の強度を長くない竪穴を穿孔することで確保できる。また、既存コンクリート基礎の最小限の表面アンカー部解体のみで、新たに基礎を作る必要がなく、短時間で施工できる。
【発明を実施するための最良の形態】
【００１３】
本発明に係る後施工アンカー設置方法及び基礎構造の実施形態について、図を用いて説明する。図１（ａ）は基礎構造の側断面図である。図１（ｂ）は基礎構造の正面図である。図２は基礎構造の断面図である。
【００１４】
（基礎構造）
まず、アンカーボルトを既存のコンクリート基礎に設置した基礎構造について説明する。図１、図２に示すように、基礎構造は、コンクリート基礎１、アンカーボルト３、板状部材４、充填剤５、充填剤溢出防止蓋６から構成されている。
【００１５】
コンクリート基礎１は、基礎下部１１から基礎上部１２が突出した断面凸形状（逆Ｔ字形状）であり、基礎上部１２の一部は、地面から突出している。コンクリート基礎１は、地面から突出した部分において、上面１ａかつ主筋（横筋）２の両側位置に４つの竪穴１ｃを穿孔され、側面１ｂかつ最上部から２番目の主筋２より下になる位置に、竪穴１ｃの下部を連結する横穴１ｄを穿孔されている。
【００１６】
なお、竪穴１ｃの数は４つに限定されるものではなく、コンクリート基礎に埋め込まれた主筋の両側位置に複数設けてあればよい。竪穴１ｃの直径は、３０ｍｍ程度であり、竪穴１ｃの長さは簡単かつ正確に施工できるように３００ｍｍ程度になっている。横穴１ｄは最上部の主筋２より下になる位置であればよい。横穴１ｄの直径は、８０ｍｍ程度として、後述する板状部材４を挿入してアンカーボルト３を固定する作業を行えるようにしてある。横穴１ｄを丸穴としたことにより、充填剤５が横穴全体に充填できる。
【００１７】
アンカーボルト３は、コンクリート基礎１の４つの竪穴１ｃに挿入されている。アンカーボルトの上部は、ワッシャー８、ナット９により、竪穴１ｃの周りの上面１ａに係止されている。
【００１８】
板状部材４は、２穴の鋼板であり、コンクリート基礎１の横穴１ｄから挿入され、２本のアンカーボルト３の下部３ａを連結固定する。板状部材４は、アンカーボルト３の引き抜き力に対して抵抗力が働くように、主筋２の下方に水平に配置され、１枚の板状部材４に２本のアンカーボルト３をナット７で固定している。板状部材４の面積は、固定するアンカーボルト３の数にもよるが、固定するアンカーボルト３が２本の場合には、引き抜き力に対する抵抗力を考慮して５０ｃｍ２程度以上が好ましい。なお、板状部材４を２枚用い、４本のアンカーボルト３を固定したが、１枚の板状部材４で、主筋２を挟んだ複数のアンカーボルト３を固定すればよく、４本のアンカーボルト３を１枚の板状部材４で固定してもよい。
【００１９】
充填剤５は、竪穴１ｃとアンカーボルト３との隙間と、横穴１ｄと板状部材４との隙間と、を充填されている。
【００２０】
充填剤溢出防止蓋６は、コンクリート基礎１の両側面の横穴１ｄを塞ぎ、充填剤５の溢出を防止している。
【００２１】
（後施工アンカー設置方法）
次に、アンカーボルトを既存のコンクリート基礎に設置する後施工アンカー設置方法について説明する。図３、図４は後施工アンカー設置方法の説明図である。
【００２２】
図３（ａ）に示すように、増改築時に新たに柱等の固定用に充分な強度のあるアンカーボルトを施工する場合、１階床の一部を解体し、既存のコンクリート基礎１を露出させる。
【００２３】
図３（ｂ）に示すように、コンクリート基礎１の上面１ａに、アンカーボルト３を主筋２の両側位置に挿入させるための複数（４つ）の竪穴１ｃを穿孔する。
【００２４】
図３（ｃ）に示すように、コンクリート基礎１の最上部の主筋２より下になる位置で、コンクリート基礎１の側面１ｂに、横穴１ｄを穿孔する。
【００２５】
図４（ａ）に示すように、複数の竪穴１ｃに複数のアンカーボルト３を挿入する。アンカーボルト３の上部をワッシャー８、ナット９により竪穴１ｃの周りの上面１ａに係止する。横穴１ｄに板状部材４を挿入し、挿入した板状部材４のボルト穴に、竪穴１ｃに挿入した複数（４本）のアンカーボルト３の下部を通し、ナット７で連結固定する。
【００２６】
図４（ｂ）に示すように、充填剤溢出防止蓋６で充填剤５が溢出しないように横穴１ｄを塞ぐ。竪穴１ｃとアンカーボルト３との隙間へ充填剤５を注入することで、竪穴１ｃとアンカーボルト３との隙間と、横穴１ｄと板状部材４との隙間と、に充填剤５を充填する。なお、充填剤５の流動性が小さい場合には、横穴１ｄからも注入し、全体に充填剤５が充填されるようにする。
【００２７】
充填剤５が硬化することで、図４（ｃ）、図１に示すような後施工アンカーボルト３をコンクリート基礎１に設置した基礎構造が完成する。
【００２８】
（効果）
上記基礎構造及び後施工アンカー設置方法によれば、既存コンクリート基礎１および周辺部材、地盤等に対する各種工事をできるだけせずに、既存コンクリート基礎１の上面１ａにアンカーボルト３を簡単な施工で正確に設置することができる。また、既存アンカーボルトと同程度の強度を長くない竪穴１ｃを穿孔することで確保できる。また、最小限の表面アンカー部解体のみで、新たに基礎を作る必要がなく、短時間で施工できる。
【００２９】
すなわち、新たなコンクリート基礎を打設する必要がなく、コストをおさえることができる。また、既存のコンクリート基礎１の基礎上部１２を利用するため、基礎を打設する場所の土を掘削しておく必要もない。また、既存のコンクリート基礎１の上面１ａに新たなアンカーボルト３を配置するため、アンカーボルト３が既存の基礎上からずれて配置されることもない。そのため、上部構造（柱、土台や壁、筋交い等）の設置のために余分な部品を必要とせず、施工工数的、コスト的な負担を低減できる。
【００３０】
また、アンカーボルト３の下部を水平に板状部材４で固定することにより、引き抜きに対する抵抗力を増大させるこができ、アンカーボルト３を挿入する竪穴１ｃを短くすることができ、精度良く形成するのに大変高度な技術を必要としない。
【００３１】
また、アンカーボルト３を主筋２の両側位置に配置し、板状部材４が主筋２の下方に水平に配置された構造により、アンカーボルト３の引き抜き力が板状部材４、充填剤５を介して主筋２に伝わるため、短いアンカーボルト３であっても、引き抜き力に対する強度を大きくすることができる。
【産業上の利用可能性】
【００３２】
本発明は、住宅鉄骨造、木造等の増改築時に適用できる。
【図面の簡単な説明】
【００３３】
【図１】（ａ）基礎構造の側断面図である。（ｂ）基礎構造の正面図である。
【図２】基礎構造の断面図である。
【図３】後施工アンカー設置方法の説明図である。
【図４】後施工アンカー設置方法の説明図である。
【符号の説明】
【００３４】
１    …コンクリート基礎
１ａ  …上面
１ｂ  …側面
１ｃ  …竪穴
１ｄ  …横穴
２    …主筋
３    …アンカーボルト
３ａ  …下部
４    …板状部材
５    …充填剤
６    …充填剤溢出防止蓋
７    …ナット
８    …ワッシャー
９    …ナット
１１  …基礎下部
１２  …基礎上部
【図１】
2008303677.tif 000003
【図２】
2008303677.tif 000004
【図３】
2008303677.tif 000005
【図４】
2008303677.tif 000006